(57)【要約】【課題】三方弁とバイパス管を使用することにより、水道の水を止めることなくバイパス管側に流すことができてカートリッジ取り替えや本体の取り替え作業を行なうことができ、しかも三方弁の数を最小限に抑えることができて三方弁とバイパス管の取付けスペースを小さくすることができる水路切替用バイパス管を有する浄水器を提供する。【解決手段】水道水を浄化する浄水器本体１と、浄水器本体１の水の入口と出口とに一端側を別々に接続された左右のガイド管３、５と、左右のガイド管３、５の水の他端側にそれぞれ接続された左右の三方弁６、６と、左右の三方弁６、６の間を連通して前記浄水器本体１の側路を形成するバイパス管９とを備えているものである。【選択図】      図１
2004330057.tif 000002
【特許請求の範囲】
【請求項１】
水道水を浄化する浄水器本体と、浄水器本体の水の入口と出口とに一側端を別々に接続された左右のガイド管と、左右のガイド管の他側端にそれぞれ接続された左右の三方弁と、左右の三方弁の間を連通している前記浄水器本体の側路を形成するバイパス管とを備えていることを特徴とする水路切替用バイパス管を有する浄水器。
【請求項２】
前記浄水器本体の水の入口と出口に接続される左右のガイド管は、ユニオンナットによって浄水器本体に接続されている請求項１に記載の水路切替用バイパス管を有する浄水器。
【請求項３】
前記左右のガイド管のうち、浄水器本体の水の出口に接続されたガイド管に、浄水器本体で浄化された水を採取するための開閉弁が取り付けられている請求項１又は２に記載の水路切替用バイパス管を有する浄水器。
【請求項４】
前記左右のガイド管のうち、浄水器本体の水の入り口に接続されたガイド管に、水道水を排出するための開閉弁が取り付けられている請求項１乃至３のいずれかに記載の水路切替用バイパス管を有する浄水器。
【発明の詳細な説明】
【０００１】
【発明の属する技術分野】
本発明は、浄水器本体のカートリッジ取り替え時等に浄水器本体を取り外しても、水道からの水の流れをバイパス管に流すことによって、水道の水の流れを止めることなくカートリッジ等の取り替え作業を行なうことが可能な水路切替用バイパス管を有する浄水器に関する。
【０００２】
【従来の技術】
従来、水道管に浄水器を取り付けたものでは、この浄水器のカートリッジ等の取り替え時には、浄水器を水道管から取り外す前にその都度浄水器の上流側に設けられた止水弁を閉鎖し、水の流れを止めるようにしていた。
このように水道水の流れを止めるには、流れを止めるための厄介な作業を必要としていた。
【０００３】
また、水道水の流れを止めないで浄水器を取り外す作業を行なうようにするには、二方弁を水道管に接続して水の流れを二方弁で切り換えることも考えられるが、そのためには二方弁を少なくとも４箇所設置しなくてはならず、二方弁を設置するための大きなスペースを必要とするという問題があった。
【０００４】
【発明が解決しようとする課題】
本発明は、三方弁とバイパス管を使用することにより、水道水を止めることなくバイパス管側に流しつつカートリッジの取り替えや本体の取り替え作業を行なうことができ、しかも三方弁の数を最小限に抑えて三方弁とバイパス管の取付けスペースを小さくすることができるようにした水路切替用バイパス管を有する浄水器を提供する事を目的としている。
【０００５】
【課題を解決するための手段】
上記目的を達成するため、請求項１の発明は、水道水を浄化する浄水器本体と、浄水器本体の水の入口と出口とに一側端を別々に接続された左右のガイド管と、左右のガイド管の他側端にそれぞれ接続された左右の三方弁と、左右の三方弁の間を連通して前記浄水器本体の側路を形成するバイパス管とを備えていることを発明の基本構成とするものである。
【０００６】
請求項２に記載の発明は、請求項１の発明に於いて、前記浄水器本体の水の入口と出口に接続される左右のガイド管を、ユニオンナットによって浄水器本体に接続するようにしたものである。
【０００７】
請求項３に記載の発明は、請求項１及び請求項２の発明に於いて、前記左右のガイド管のうち、浄水器本体の水の出口に接続されたガイド管に、浄水器本体で浄化された水を採取するための開閉弁が取り付けられているものである。
【０００８】
請求項４に記載の発明は、請求項１乃至３の発明に於いて、前記左右のガイド管のうち、浄水器本体の水の入り口に接続されたガイド管に、水道水を排出するための開閉弁が取り付けられているものである。
【０００９】
【発明の実施の形態】
以下、本発明に係る水路切替用バイパス管を有する浄水器の実施の形態について、図を参照しつつ説明する。
図１は本発明に係る水路切替用バイパス管を有する浄水器の実施形態を示す説明図、図２は同浄水器の外観を示す正面図、図３は同浄水器の内部構造を示す縦断面図である。
【００１０】
図１乃至図３に於いて、１は浄水器本体、２は基盤部、３は流入側ガイド管、４はユニオンナット、５は流出側ガイド管、６は三方弁、７は流入側水道管接続部（水供給口）、８は流出側水道管接続部（水出口）、９はバイパス管、１０・１１は開閉弁である。
この実施形態の水路切替用バイパス管を有する浄水器は、図１、図２、図３に示すように、水道水を浄化するための浄水器本体１と基盤部２とから形成されており、浄水器本体１が上側に設けられた基盤部２の流入側配管接続部２ａには、流入側ガイド管３の一側端がユニオンナット４によって接続されている。
また、基盤部２の流出側配管接続部２ｂには、流出側ガイド管５の一側端がユニオンナット４によって接続されている。
【００１１】
これらの流入側ガイド管３と流出側ガイド管５は正面視略コ字形に形成されていて、その下側両端部（他側端）には三方弁６、６が夫々接続されている。また、前記三方弁６、６には流入側水道管及び流出側水道管（図示せず）を接続するための流入側水道管接続部７及び流出側水道管接続部８とバイパス管９の接続口が設けられており、両三方弁６、６の間は浄水器本体１の側路を形成する状態でバイパス管９により連通されている。
【００１２】
また、流入側ガイド管３には、その中途部に水道水を排出するための開閉弁１０が設けられ、更に、流出側ガイド管５には、浄水器本体１で浄化された水を採取するための開閉弁１１が設けられている。
【００１３】
次に、水道管から流入側ガイド管３を介して浄水器本体１内に流入した水道水が、浄水器本体１内で浄化される過程を図３に基づいて概略説明する。
水道本管から三方弁６と流入側ガイド管３を介して流入側配管接続部２ａを経て浄水器本体１に流入した水は、基盤部２の上面に設けられた環状溝２ｃを経て、ＳＵＳ３０５製板金からなる筒状ケーシング１２と不織布などからなる濁度フィルター１３との間の環状の間隙１４に流入する。
次に、間隙１４内の水は、間隙１４内を上昇するとともに徐々に内側へも流入して濁度フィルター１３を通過し、濁度フィルター１３と繊維状活性炭フィルター１５との間の環状の間隙１６へ流入する。更に、間隙１６内の水は、間隙１６内を上昇するとともに徐々に内側へも流入して繊維活性炭フィルター１５を通過し、繊維活性炭フィルター１５とセラミックフィルター１７との間の環状の間隙１８へ流入して上昇する。
【００１４】
間隙１４、１６を上昇する間に濁度フィルター１３および繊維活性炭フィルター１５を通過した水は、間隙１８を通って上昇し、上方からセラミックフィルター１７内を下降して基盤部２に流入し、流出側配管接続部８を経て流出側ガイド管５へ流出する。そして、し三方弁６を経て流出側水道管接続部８に接続される水道管に流れ込む。
【００１５】
浄水器本体１のカートリッジを取り替える際には、浄水器本体１内へ水道水が流れ込むといけないので、各三方弁６、６を切り換える。これにより、流入側の水道管から流入側水道管接続部７を経て流入側の三方弁６へ流入した水は、バイパス管９から流出側の三方弁６を経て流出側水道接続部８に至り、流出側の水道管に流れ込む。
この状態では、浄水器本体１内には水道水は流れ込まないので、水道水の流れを止めずに、カートリッジの取り替えを行なえることとなる。
【００１６】
また、水道管から三方弁６を経て流入側ガイド管３に流入した水道水を一時的に排出させるには、流入側ガイド管３の中途部に設けられた開閉弁１０を開く。これにより水道水を排出させることが出来る。
更に、浄水器本体１で浄化された水を採取するには、流出側ガイド管５の中途部に設けられた開閉弁１１を開くことによって、浄化された水を採取する。
【００１７】
本実施形態によれば、２つの三方弁６、６とバイパス管９を使用することにより、水道の水を止めることなくカートリッジの取り替えや本体の取り替え作業を行なうことができる。また、三方弁６、６の数を最小限に抑えることができ、三方弁６、６とバイパス管９の取付けスペースを小さくすることができる。
【００１８】
更に、流入側ガイド管３の中途部に開閉弁１０を設けたことにより、一時的に流入側の水道水を排出するときに、この開閉弁１０を開くことによって、水道水を一時的に排出させることができる。
同様に、浄水器本体１内で浄化された水を採取するときには、流出側ガイド管５の中途部に設けられた開閉弁１１を開くことによって、浄化された水を採取することができ、浄化された水の水質検査を簡単に行なうことができる。
【００１９】
【発明の効果】
以上説明したように、請求項１に記載の発明は、水道水を浄化する浄水器本体と、浄水器本体の水の入口と出口とに一端側を別々に接続された左右のガイド管と、左右のガイド管の他端側にそれぞれ接続された左右の三方弁と、左右の三方弁の間を連通して前記浄水器本体の側路を形成するバイパス管とを備えているので、以下に述べる効果を奏する。
【００２０】
即ち、２つの三方弁とバイパス管を使用することにより、水道の水を止めることなくバイパス管側に流すことができる。これにより、カートリッジの取り替えや本体の取り替え作業を水を止めることなく行なうことができ、しかも三方弁の数を最小限に抑えることができるため、三方弁とバイパス管の取付けスペースを小さくすることができる。
【００２１】
請求項２に記載の発明は、浄水器本体の水の入り口と出口に接続される左右のガイド管は、ユニオンナットによって浄水器本体に接続されているので、この部分の水漏れを防ぐことができ、ガイド管の接続が行い易い。
【００２２】
請求項３に記載の発明は、左右のガイド管のうち、浄水器本体の水の出口に接続されたガイド管に、浄水器本体で浄化された水を採取するための開閉弁が取り付けられているので、一時的に流入側の水道水を排出するときに、この開閉弁を開くことによって、水道水を一時的に簡単に排出させることができる。
【００２３】
請求項４に記載の発明は、左右のガイド管のうち、浄水器本体の水の入り口に接続されたガイド管に、水道水を排出するための開閉弁が取り付けられているので、流出側ガイド管の中途部に設けられた開閉弁を開くことによって、浄化された水を採取することができ、浄化された水の水質検査を正確且つ簡単に行なうことができる。
【図面の簡単な説明】
【図１】本発明に係る水路切替用バイパス管を有する浄水器の実施形態を示す説明図である。
【図２】同浄水器の外観を示す正面図である。
【図３】同浄水器の内部構造を示す縦断面図である。
【符号の説明】
１    浄水器本体
２    基盤部
２ａ  流入側配管接続部
２ｂ  流出側配管接続部
３    流入側ガイド管
４    ユニオンナット
５    流出側ガイド管
６    三方弁
７    流入側水道管接続部
８    流出側水道管接続部
９    バイパス管
１０  開閉弁
１１  開閉弁
【図１】
2004330057.tif 000003
【図２】
2004330057.tif 000004
【図３】
2004330057.tif 000005